(57)【要約】【課題】中空糸膜束の長手方向においてガス流量を均一に分配でき、加湿性能を向上できる加湿器及び燃料電池システム。【解決手段】加湿器１５は、中空糸膜４６の内側と外側とにそれぞれ水分含有量の異なるガスを流すことにより、これらガス間で水分交換を行う。加湿器１５は、中空糸膜４６を複数本束ねてなる中空糸膜束４１と、中空糸膜束４１の外周を覆うケーシング４２と、を備える。ケーシング４２には、中空糸膜束４６の外周にガスを導入するための導入孔５１INが貫通形成される。隔壁４３が、中空糸膜束４１とケーシング４２との間で一部が導入孔５１INに対向して配置され、中空糸膜束４１の長手方向に延在する。そして、隔壁４３には、開口率が中空糸膜束４１の長手方向で異なるように貫通形成された開口部６３〜６９を有する。【選択図】図３
2008309371.tif 000002
【特許請求の範囲】
【請求項１】
中空糸膜の内側と外側とにそれぞれ水分含有量の異なるガスを流すことにより、これらガス間で水分交換を行う加湿器であって、
前記中空糸膜を複数本束ねてなる中空糸膜束と、
前記中空糸膜束の外周を覆い、この外周にガスを導入するための導入孔が貫通形成されたケーシングと、
前記中空糸膜束と前記ケーシングとの間で一部が前記導入孔に対向して配置され、当該中空糸膜束の長手方向に延在する隔壁と、を備え、
前記隔壁には、開口率が前記中空糸膜束の長手方向で異なるように開口部が貫通形成されている、加湿器。
【請求項２】
前記隔壁は、
前記導入孔に最も近い領域において第１の開口率を有し、且つ当該領域と前記隔壁の端部領域との間の中間領域において前記第１の開口率よりも高い第２の開口率を有する、請求項１に記載の加湿器。
【請求項３】
前記中空膜束の長手方向の両端部とこれに面する前記ケーシングの内壁との間は閉塞されており、
前記隔壁は、その長手方向の端部領域において前記第２の開口率よりも低い第３の開口率を有する、請求項２に記載の加湿器。
【請求項４】
前記導入孔と前記中空糸膜束との間に設けられた流量分配部を備え、
前記流量分配部は、前記導入孔から前記中空糸膜束の外周へと流れるガスを前記隔壁の長手方向で均等に分配するように構成されている、請求項１ないし３のいずれか一項に記載の加湿器。
【請求項５】
前記ケーシングの内壁及びこれに面する前記隔壁の壁部の少なくとも一方に、前記導入孔から導入されたガスに乱流を発生させる乱流発生部を備え、
前記乱流発生部は、前記中空糸膜束の長手方向において前記導入孔から遠い位置にある、請求項１ないし４のいずれか一項に記載の加湿器。
【請求項６】
前記乱流発生部は、前記ケーシングの内壁に面する前記隔壁の壁面に形成された傾斜面であり、
前記傾斜面は、前記導入孔に近い部位よりも遠い部位が前記ケーシングの内壁側に傾いている、請求項５に記載の加湿器。
【請求項７】
前記乱流発生部は、前記ケーシングの内壁に突設された突起である、請求項５に記載の加湿器。
【請求項８】
前記隔壁は、前記中空糸膜束の外周をその長手方向に沿って支持する、請求項１ないし７のいずれか一項に記載の加湿器。
【請求項９】
酸化ガスと燃料ガスとの電気化学反応により発電する燃料電池と、
前記燃料電池に供給される酸化ガスと燃料ガスの少なくとも一方を加湿する加湿器と、を備えた燃料電池システムにおいて、
前記加湿器として、請求項１ないし８のいずれか一項に記載の加湿器が用いられている燃料電池システム。
【発明の詳細な説明】
【技術分野】
【０００１】
本発明は、中空糸膜を利用してガスの加湿を行う加湿器及び燃料電池システムに関するものである。
【背景技術】
【０００２】
燃料電池システムは、燃料ガスと酸化ガスとの電気化学反応によって発電する燃料電池を備えている。固体高分子型の燃料電池では、その発電効率を高めるために電解質膜が湿潤状態に保持されることが必要である。この湿潤状態の保持は、一般に、燃料ガス又は酸化ガスを加湿する加湿器で行っている。
【０００３】
従来の加湿器では、高湿の酸化オフガスと低湿の酸化ガスとの間で水分交換を行う内部加湿方式が多く採用されている。酸化オフガスが酸化ガスよりも高湿であるのは、燃料電池の空気極から排出される酸化オフガスには、電気化学反応によって生成された水が含まれているからである。
【０００４】
特許文献１には、中空糸膜を束ねてなる中空糸膜束をケーシング内に備えた内部加湿方式の加湿器が開示されている。中空糸膜の内部には酸化オフガスが流れ、中空糸膜束の外部に酸化ガスが流れることで、中空糸膜を介した水分交換が行われる。ケーシングの長手方向の一端側の周壁には、酸化ガスを中空糸膜束の外周に導入するための導入孔が貫通形成され、他端側の周壁には、水分交換後の酸化ガスを外部に排出するための排出孔が貫通形成されている。
【０００５】
したがって、酸化ガスは、ケーシングに接続された供給管からケーシング内に流入して導入孔を通った後、中空糸膜束の外側を長手方向の一端から他端へと流れ、排出孔から外部に排出される。この場合、複数の導入孔は、ケーシングの周方向に形成されている。そして、各導入孔を通る酸化ガスの流量が均一になるように、複数の導入孔のうち、供給管に近いものほど開口を小さく、遠いものほど大きく形成している。
【特許文献１】特開２００５−４４６６５号公報
【発明の開示】
【発明が解決しようとする課題】
【０００６】
このような加湿器によれば、中空糸膜束の一端側の周方向に酸化ガスの流量を均一に分配できる点では有用である。しかし、中空糸膜束の長手方向においては、導入孔に近いところでは酸化ガスの流量が多いのに対し、導入孔から遠い排出孔に近いところでは酸化ガス流量が少なくなる。このため、中空糸膜束の長手方向において酸化ガスの流量にバラツキがあった。
【０００７】
そこで、本発明は、中空糸膜束の長手方向においてガス流量を均一に分配でき、加湿性能を向上できる加湿器及び燃料電池システムを提供することをその目的としている。
【課題を解決するための手段】
【０００８】
上記目的を達成するための本発明の加湿器は、中空糸膜の内側と外側とにそれぞれ水分含有量の異なるガスを流すことにより、これらガス間で水分交換を行う。加湿器は、中空糸膜を複数本束ねてなる中空糸膜束と、中空糸膜束の外周を覆うケーシングと、を備える。ケーシングには、中空糸膜束の外周にガスを導入するための導入孔が貫通形成される。また、中空糸膜束とケーシングとの間には、一部が導入孔に対向して隔壁が配置される。隔壁は、中空糸膜束の長手方向に延在すると共に、開口率が中空糸膜束の長手方向で異なるように貫通形成された開口部を有する。
【０００９】
また、上記目的を達成するための本発明の燃料電池システムは、酸化ガスと燃料ガスとの電気化学反応により発電する燃料電池を備え、本発明の加湿器を用いて、燃料電池に供給される酸化ガスと燃料ガスの少なくとも一方を加湿するものである。
【００１０】
本発明によれば、導入孔からケーシング内に導入されたガスを、隔壁の開口部を通過させて、導入孔に対向する中空糸膜束の外周部位に導入させることが可能となると共に、導入孔に対向しない中空糸膜束の外周部位に導入させることが可能となる。これにより、中空糸膜束の長手方向に亘ってガスを積極的に導入できる。また、この長手方向において開口部の開口率が異なるので、中空糸膜束へのガス流量が部分的に多くなったり少なくなったりしないように開口率を設計できる。これにより、隔壁のない構成及び開口率が一定の構成に比べて、中空糸膜束の長手方向にガス流量を均一に分配できる。そして、均一に分配されたガスが水分交換に供されるので、複数の中空糸膜を広く利用でき、それゆえに加湿性能を向上できる。なお、開口率とは、隔壁の総面積に対する、ガスを通過させる開口の面積の比を意味する。
【００１１】
好ましくは、隔壁は、導入孔に最も近い領域において第１の開口率を有し、且つ領域と隔壁の端部領域との間の中間領域において第１の開口率よりも高い第２の開口率を有するとよい。
【００１２】
もし隔壁のない加湿器であれば、導入孔に近い中空糸膜束の外周部位ほど、ガスが導入され易いので、中空糸膜束の長手方向でガス流量がばらつく。
これに対し、上記した本発明の好ましい構成によれば、隔壁のない加湿器に比べて、導入孔に近い中空糸膜束の外周部位に少量のガスを導入できると共に、隔壁の中間領域に対向する中空糸膜束の外周部位に多量のガスを導入できる。よって、中空糸膜束の長手方向におけるガス流量の均一な分配を促進できる。
【００１３】
より好ましくは、中空膜束の長手方向の両端部とこれに面するケーシングの内壁との間は閉塞されており、隔壁は、その長手方向の端部領域において第２の開口率よりも低い第３の開口率を有するとよい。
【００１４】
このような閉塞部分があると、ケーシング内に導入されたガスは、閉塞部分にあたって流れが変化し、隔壁の端部領域にある開口部を通って中空糸膜束へと流れ易い。このため、端部領域に対応する中空糸膜束の文へのガス流量は、中間領域に対応する中空糸膜束の部分へのガス流量よりも多くなり得る。
しかし、上記した本発明の好ましい構成によれば、隔壁の端部領域の開口率を中間領域の開口率よりも下げているので、開口率が一定の構成に比べて、中空糸膜束の長手方向の端部外周及び中間外周へのガス流量を均一にできる。
【００１５】
好ましくは、加湿器は、導入孔と中空糸膜束との間に設けられた流量分配部を備え、流量分配部は、導入孔から中空糸膜束の外周へと流れるガスを隔壁の長手方向で均等に分配するように構成されているとよい。
【００１６】
この構成によれば、ガスが隔壁の開口部を通過する前に、隔壁の長手方向にガスを均等に分配できる。これにより、中空糸膜束の長手方向におけるガス流量の均一さを向上できる。なお、流量分配部は、隔壁から導入孔に向かって延在する隔壁の部位であるとよい。
【００１７】
好ましくは、加湿器は、ケーシングの内壁及びこれに面する隔壁の壁部の少なくとも一方に、導入孔から導入されたガスに乱流を発生させる乱流発生部を備え、乱流発生部は、中空糸膜束の長手方向において導入孔から遠い位置にあるとよい。
【００１８】
この構成によれば、導入孔から遠い位置で、ガスの流れの方向を変えることができる。これにより、導入孔から遠い位置においても、ガスが開口部から中空糸膜束の外周部位へと導入され易くなる。
【００１９】
好ましい一態様によれば、乱流発生部は、ケーシングの内壁に面する隔壁の壁面に形成された傾斜面であり、傾斜面は、導入孔に近い部位よりも遠い部位がケーシングの内壁に近くなるように傾いているとよい。
【００２０】
別の好ましい一態様によれば、乱流発生部は、ケーシングの内壁に突設された突起であるとよい。
【００２１】
好ましくは、隔壁は、中空糸膜束の外周をその長手方向に沿って支持するとよい。
【００２２】
この構成によれば、隔壁を有効に利用して、中空糸膜束をたるまないように支持できる。
【発明の効果】
【００２３】
上記した本発明の加湿器及び燃料電池システムによれば、中空糸膜束の長手方向においてガス流量を均一に分配でき、加湿性能を向上できる。
【発明を実施するための最良の形態】
【００２４】
以下、添付図面を参照して、本発明の好適な実施形態に係る加湿器を燃料電池システムに適用した例について説明する。
【００２５】
図１に示すように、燃料電池システム１は、燃料電池２、酸化ガス配管系３及び燃料ガス配管系４を備える。燃料電池システム１は、車両に搭載することができるが、もちろん車両のみならず各種移動体（例えば、船舶や飛行機、ロボットなど）や定置型電源にも適用可能である。
【００２６】
燃料電池２は、多数の単セルを積層したスタック構造を備える。固体高分子電解質型の単セルは、電解質の一方の面に空気極を有し、他方の面に燃料極を有し、さらに空気極及び燃料極を両側から挟みこむように一対のセパレータを有する。一方のセパレータの酸化ガス流路２ａに酸化ガスが供給され、他方のセパレータの燃料ガス流路２ｂに燃料ガスが供給される。供給された燃料ガス及び酸化ガスの電気化学反応により、燃料電池２は電力を発生する。また、電気化学反応により、燃料電池２は発熱すると共に空気極側に水を生成する。固体高分子電解質型の燃料電池２の温度は、およそ６０〜８０℃となる。
【００２７】
酸化ガス配管系３は、供給路１１及び排出路１２を有する。供給路１１には、酸化ガス流路２ａに供給される酸化ガスが流れる。排出路１２には、酸化ガス流路２ａから排出された酸化オフガスが流れる。酸化オフガスは、燃料電池２の電気化学反応により生成された水分を含むため高湿潤状態となっている。コンプレッサ１４は、供給路１１に設けられ、エアクリーナ１３を介して酸化ガスとしての外気を取り込み、燃料電池２に圧送する。圧送される酸化ガスは、加湿器１５によって酸化オフガスとの間で水分交換がなされ、適度に加湿される。エア調圧弁１６は、排出路１２において空気極出口付近に配設され、空気極側の背圧を調整する。
【００２８】
燃料ガス配管系４は、燃料ガスとしての水素ガスを燃料電池２に給排する。燃料ガス配管系４は、水素供給源２１、供給路２２、循環路２３、ポンプ２４及びパージ路２５を有する。水素ガスは、元弁２６を開くことで水素供給源２１から供給路２２に流出し、レギュレータ２７及び遮断弁２８を経て燃料ガス流路２ｂに供給される。その後、水素ガスは、燃料ガス流路２ｂから水素オフガスとして循環路２３に排出される。水素オフガスは、循環路２３と供給路２２との合流点Ａにポンプ２４によって戻され、再び燃料ガス流路２ｂに供給される。水素オフガスの一部は、パージ弁３３の適宜の開弁により、循環路２３からパージ路２５へと排出され、図示省略した水素希釈器を経て外部に排出される。
【００２９】
図２に示すように、加湿器１５は、内部加湿方式を採用し、低湿潤状態の酸化ガスを高湿潤状態の酸化オフガスで加湿する。加湿器１５は、中空糸膜束４１と、中空糸膜束４１の外周を覆うケーシング４２と、ケーシング４２に収容された一対の支え板４３，４４（隔壁）と、を有する。
【００３０】
ケーシング４２は、長手方向の両端が開口する円筒状をなしている。ケーシング４２の中心軸線と中空糸膜束４１の中心軸線とは略一致する。ケーシング４２の内壁４２ａは、中空糸膜束４１の外周と所定の隙間を存する。ケーシング４２の周壁には、酸化ガスの導入孔５１IN及び酸化ガスの排出孔５２OUTが長手方向に離間して形成されている。本実施形態では、導入孔５１INと排出孔５２OUTとは、ケーシング４２の長手方向の各端部に形成されている。導入孔５１INは、供給路１１の上流配管１１IN（図１参照）に接続され、排出孔５２OUTは、供給路１１の下流配管１１OUT（図１参照）に接続される。
【００３１】
中空糸膜束４１は、内径が例えば数百ｍ程度の公知の中空糸膜４６を多数束ねたものである。中空糸膜４６は、水蒸気透過性を有するフィルタ部材であり、望ましくは水蒸気のみを透過させる特性を有するとよい。中空糸膜４６の外部に酸化ガスが流れ、中空糸膜４６の内部４６ａ（中空部）に、長手方向の一端から他端（図２（Ｂ）では下端から上端）へと酸化オフガスが流れる。高湿の酸化オフガスの水分は、中空糸膜４６に吸収され、その外周へと毛細管現象により吸い上げられる。吸い上げられた水分は、中空糸膜４６同士の間を通過する低湿の酸化ガスに移動する。これにより、酸化ガスが加湿される。なお、配管の接続先を変更することにより、中空糸膜４６の外側に酸化オフガスを流通させ、内側に酸化ガスを流通させてもよい。
【００３２】
中空糸膜束４１の長手方向の両端部は、ケーシング４２の両端の内壁に接着剤や樹脂モールド等により固着されている。この固着されてなるポッティング部により、中空糸膜４６の内部４６ａを流れる酸化オフガスと、中空糸膜４６の外側を流れる酸化ガスとがケーシング４２内で直接混ざり合うことがないようになっている。なお、ポッティング部の一部は、中空糸膜束４１とケーシング４２の内壁４２ａとの間の隙間を閉塞する閉塞部５３として機能する。
【００３３】
一対の支え板４３，４４は、中空糸膜束４１の長手方向に延在し、中空糸膜束４１と略同程度の長さを有する。一対の支え板４３，４４は、中空糸膜束４１を挟んで対向し、中空糸膜束４１の外周に接してこれを両側から支持する。これにより、中空糸膜束４１がたるむことが抑制される。一対の支え板４３，４４は、互いに異なる形状であってもよいが、ここでは同様の形状からなり、一方を長手方向に反転させたような状態で配置されている。
【００３４】
支え板４３は、一部が導入孔５１INに対向して配置される。図２（Ｂ）及び図３に示すように、支え板４３は、板状部材を複数個所で刳り貫いてなるものであり、長手方向に延在する二本の縦桟６１、６１と、この二本の縦桟６１,６１の間でこれらに直交して延在する複数本の横桟６２，６２，・・・，６２と、からなる。そして、縦桟６１，６１と二本の横桟６２，６２との間に貫通形成されている開口６３〜６９が、酸化ガスを通過させるための流路となっている。
【００３５】
加湿前の酸化ガスは、導入孔５１INからケーシング４２内の入口側チャンバ７１に導入され、入口側チャンバ７１から開口６３〜６９を通過して、中空糸膜束４１の外周に導入される。その後、酸化ガスは、中空糸膜４６間をすり抜けるように流れる間に加湿される。加湿後の酸化ガスは、支え板４４の複数の開口７３を通ってケーシング４２内の出口側チャンバ７２に排出され、出口側チャンバ７２から排出孔５２OUTを介して外部に流出する。
【００３６】
開口６３〜６９は、例えば長方形の貫通孔であり、導入孔５１INに近いものと遠いものとの間で大きさが異なっている。具体的には、導入孔５１INに対向するような近い位置にある開口６３〜６５は開口面積が小さく、導入孔５１INに対向しない遠い位置にある開口６６〜６９は開口６３〜６５よりも開口面積が大きく形成されている。
【００３７】
開口率の観点で考えれば、導入孔５１INに近い領域８１の開口率は、導入孔５１INから遠い端部領域８２の開口率よりも低い。また、領域８１と端部領域８２との間にある中間領域８３は、領域８１よりも開口率が高い。なお、領域８１、端部領域８２及び中間領域８３は、支え板４３の領域を長手方向に便宜上三つに区画した各領域であり、領域８１は、導入孔５１INに対向していて上記三つの開口６３〜６５を含んでいる。
【００３８】
以上説明した加湿器１５の効果について説明する。
もし支え板４３を有しない従来型の加湿器であれば、導入孔５１INから導入された酸化ガスは、導入孔５１INに対向する中空糸膜束４１の外周部分に導入され易い一方、導入孔５１INから離れた位置にある中空糸膜束４１の外周部分には導入されにくい。つまり、酸化ガスの導入量が中空糸膜束４１の長手方向でばらつく。
【００３９】
これに対し、本実施形態のように、支え板４３を有する加湿器１５であれば、導入孔５１INから導入された酸化ガスは、領域８１の横桟６２につきあたるので、導入孔５１IN近傍の中空糸膜束４１の外周部分に導入されにくくなる。これにより、支え板４３のない構成や、領域８１の開口率を他の領域８２,８３の開口率と同じにする場合に比べて、導入孔５１IN近傍の中空糸膜束４１への酸化ガスの導入量を相対的に減らすことができる。
【００４０】
また、この部分への酸化ガスの導入量が相対的に減ることから、入口側チャンバ７１の中央部側（中間領域８３側）及び奥側（端部領域８２側）へと流れる酸化ガスの流量が相対的に増える。その結果、領域８１よりも開口率が高い中間領域８３及び端部領域８２では、開口率が一定の構成や、支え板４３を有しない構成の場合に比べて、開口６６〜６９を介して、導入孔５１INから遠い中空糸膜束４１の外周部分への酸化ガスの導入量を相対的に増やすことができる。
【００４１】
したがって、本実施形態の加湿器１５によれば、酸化ガスの流量を中空糸膜束４１の長手方向に均一に分配できる。そして、均一に分配された酸化ガスが水分交換に供されるので、中空糸膜束４１を広く有効利用でき、それゆえに加湿性能を向上できる。
【００４２】
なお、上記実施形態は、本発明を説明するための例示であり、本発明をこれに限定するものではなく、その要旨を逸脱しない限り適宜変更を加えることができる。例えば、加湿器１５は、燃料電池２に供給される燃料ガスを加湿するものでもよい。また、加湿される乾燥ガスを酸化ガス又は燃料ガスとした場合、これらの加湿に用いる湿潤ガスは、酸化オフガス又は燃料オフガスに限らず、燃料電池２の運転とは無関係のガスであってもよい。
【００４３】
次に、図４ないし図６を参照して、本実施形態を改良した変形例について説明する。なお、以下の変形例１〜３は相互に組み合わせることができる。
【００４４】
＜変形例１＞
図４に示す変形例１では、支え板４３の端部領域８２の開口率を変更すると共に、流量分配部１０２を更に設けている。
【００４５】
入口側チャンバ７１内に導入された酸化ガスは、導入孔５１INから遠い閉塞部５３ａにあたって端部領域８２側へと流れが変化する。このため、中空糸束膜４１では、中間領域８３に対応する中間エリアよりも、端部領域８２に対応する端部エリアの方が、酸化ガスが内部に引き込まれ易い傾向にある。かかる事情に鑑みて、変形例１では、中空糸束膜４１の中間エリア及び端部エリアの両方に均一に酸化ガスが導入されるように、端部領域８２の開口率を中間領域８３の開口率よりも低くしている。なお、端部領域８２の開口率を領域８１の開口率と同程度に設計してもよい。
【００４６】
流量分配部１０２は、支え板４３と一体に形成され、入口側チャンバ７１内に配置される。流量分配部１０２は、支え板４３の長手方向の中間部から内壁４２ａに向かって水平に延びる第１水平部１２１と、第１水平部１２１から長手方向に延びる鉛直部１２２と、鉛直部１２２から内壁４２ａに向かって水平に延びる第２水平部１２３と、からなる。鉛直部１２２は、内壁４２ａと中空糸膜束４１の外周との間の中間位置にある。第２水平部１２３は、導入孔５１INの中心軸線上にあり、先端が導入孔５１INの直前にまで達している。
【００４７】
このような流量分配部１０２によれば、導入孔５１INから導入された酸化ガスは、先ず、第２水平部１２３によって二方向に分配される。分配後の一方の酸化ガスは、第２水平部１２３に沿って直線的に流れ、その流線の先方にある低開口率の領域８１に達して開口１３１，３２を通過すると共に、一部が高開口率の中間領域８３の半部８３ａに達して開口１３３，１３４を通過する。また、分配後の他方の酸化ガスは、鉛直部１２２と内壁４２ａとの間の隙間を流れて、一部が高開口率の中間領域８３の半部８３ｂに達して開口１３５，１３６を通過すると共に、残りが低開口率の端部領域８２に達して開口１３７，１３８を通過する。
【００４８】
したがって、入口側チャンバ７１内の酸化ガスが開口１３１〜１３８に達する前に、酸化ガスを中空糸膜束４１の長手方向に均等に分配しておくことができる。よって、中空糸膜束４１の長手方向における酸化ガスの流量の均一さをより一層向上できる。なお、流量分配部１０２は、支え板４３と別体に形成してもよい。
【００４９】
＜変形例２＞
図５に示す変形例２では、支え板４３の端部領域８２及び中間領域８３に乱流発生部を設けている。
【００５０】
乱流発生部は、端部領域８２及び中間領域８３の横桟の壁面に形成された傾斜面１４１である。傾斜面１４１は、内壁４２ａに面する湾曲した面であり、導入孔５１INに近い部位よりも遠い部位が内壁４２ａに近くなるように傾いている。このような傾斜面１４１を設けることで、図５に示す酸化ガスの流れのように、負圧となる傾斜面１４１の下側において酸化ガスに乱流が発生する。これにより、傾斜面１４１の下側にある開口１５１に酸化ガスが引き込まれ易くなり、中空糸膜束４１における酸化ガスの流量の均一さを向上できる。
【００５１】
＜変形例３＞
図６に示す変形例３では、内壁４２ａに突起１６１を突設させ、これを乱流発生部として機能させている。突起１６１は、支え板４３の端部領域８２及び中間領域８３に対向する位置に複数形成されている。このような突起１６１を設けることで、図６に示すように、各突起１６１の下流側で酸化ガスに乱流が発生する。これにより、酸化ガスの流れる方向が変わり、端部領域８２及び中間領域８３にある開口１７１に酸化ガスが導入され易くなり、中空糸膜束４１における酸化ガスの流量の均一さを向上できる。
【図面の簡単な説明】
【００５２】
【図１】実施形態に係る燃料電池システムの構成図である。
【図２】実施形態に係る加湿器の要部を模式的に示す図であり、（Ａ）は要部を示す平面図であり、（Ｂ）は要部を示す断面図である。
【図３】実施形態に係る支え板（隔壁）を示す斜視図である。
【図４】本発明の変形例１に係る加湿器の要部を模式的に示す断面図である。
【図５】本発明の変形例２に係る加湿器の要部を模式的に示す断面図である。
【図６】本発明の変形例３に係る加湿器の要部を模式的に示す断面図である。
【符号の説明】
【００５３】
１：燃料電池システム、２：燃料電池、１５：加湿器、４１：中空糸膜束、４２：ケーシング、４２ａ：内壁、４３：支え板（隔壁）、４４：支え板（隔壁）、４６：中空糸膜、５１IN：導入孔、６３〜６９：開口、８１：領域、８２：端部領域、８３：中間領域、１０２：流量分配部、１４１：傾斜面、１６１：突起
【図１】
2008309371.tif 000003
【図２】
2008309371.tif 000004
【図３】
2008309371.tif 000005
【図４】
2008309371.tif 000006
【図５】
2008309371.tif 000007
【図６】
2008309371.tif 000008